(57)【要約】【課題】従来の動画と静止画の同時記録技術では、動画処理部と静止画処理部がそれぞれ同時に独立して動作することが必要であった。【解決手段】画像記録装置において、ディジタル画像データを圧縮して画像データを生成する画像圧縮部と、圧縮された画像データを保存する画像保存部と、動画記録中に任意のタイミングで画像保存部に保存されている画像データ中の静止画記録するフレームの先頭位置を保持する位置保持部と、動画記録終了後画像保存部に保存されている画像データ中の位置保持部に保持されている位置のフレームを復号する画像復号部と、動画の記録開始／終了、静止画記録位置の記録、動画記録終了後に記録したいフレームの復号／記録の各処理を制御する制御部を備え、動画記録中に静止画記録要求があった場合、フレームの先頭位置を保持しておき、動画記録終了時に静止画記録処理を行なうことにより、動画記録と静止画記録を実現した。【選択図】図１
2006352307.tif 000002
【特許請求の範囲】
【請求項１】
ディジタル画像データを圧縮して画像データを生成する画像圧縮部と、前記画像圧縮部で圧縮された画像データを保存する画像保存部と、動画記録中に任意のタイミングで前記画像保存部に保存されている画像データ中の静止画を記録するフレームの先頭位置を保持する位置保持部と、動画記録終了後、前記画像保存部に保存されている画像データ中の前記位置保持部に保持されている位置のフレームを復号する画像復号部と、動画の記録開始／終了、静止画記録位置の記録、動画記録終了後に記録したいフレームの復号／記録の各処理を制御する制御部を備えたことを特徴とする画像記録装置。
【請求項２】
複数の位置保持部を備えたことを特徴とする請求項１に記載の画像記録装置。
【請求項３】
位置保持部に保持されているフレームの直前にフレーム内符号化を行なったフレーム位置情報を保持するフレーム内符号化フレーム保持部を備えたことを特徴とする請求項１または請求項２に記載の画像記録装置。
【請求項４】
ディジタル画像データを圧縮して画像データを生成する画像圧縮部と、前記画像圧縮部に対し任意のタイミングでフレーム内符号化の指示を与えるフレーム内符号化指示部を備えたことを特徴とする請求項１または請求項２に記載の画像記録装置。
【請求項５】
動画記録中に撮影した静止画を記録するフレームを選択することにより動画データ中の該当フレームから静止画を再生することを特徴とする請求項１〜請求項４のいずれかに記載の画像記録装置。
【請求項６】
動画の記録開始ステップと、静止画記録位置の記録ステップと、ディジタル画像データを圧縮して画像データを生成する画像圧縮ステップと、前記画像圧縮ステップで保持された位置のフレームを復号する画像復号ステップと、動画の記録終了ステップと、動画記録終了後に記録したいフレームの復号ステップと、各処理を制御する制御ステップを備えたことを特徴とする画像記録方法。
【請求項７】
前記画像復号ステップにおいて、フレームが前記画像圧縮ステップで圧縮された画像データを保存する画像保存メモリに保存するステップと、動画記録中に任意のタイミングで前記画像保存メモリに保存されている画像データ中の静止画を記録するフレームの先頭位置を保持する少なくとも１つの位置保持メモリに保存するステップと、動画記録終了後、前記画像保存メモリに保存されている画像データ中の前記位置保持メモリに保存するステップと、データ中に保存されている位置情報を読み出すステップを備えたことを特徴とする請求項６に記載の画像記録方法。
【請求項８】
前記画像復号ステップにおいて、位置保持メモリに保持されているフレームの直前にフレーム内符号化を行なったフレーム位置情報を保持するフレーム内符号化フレーム保持メモリに保存するステップを備えたことを特徴とする請求項６または請求項７に記載の画像記録方法。
【請求項９】
ディジタル画像データを圧縮して画像データを生成する画像圧縮ステップと、前記画像圧縮ステップに対し任意のタイミングでフレーム内符号化の指示を与えるフレーム内符号化指示ステップを備えたことを特徴とする請求項６〜請求項８のいずれかに記載の画像記録方法。
【請求項１０】
請求項６〜請求項９のいずれかに記載の画像記録方法を記録したことを特徴とする記録媒体。
【発明の詳細な説明】
【技術分野】
【０００１】
本発明は、動画と静止画を記録する画像記録装置及び記録方法に関する。
【背景技術】
【０００２】
従来、携帯性を有し、画像をディジタル信号により記録する装置には、動画を記録するディジタルビデオカメラと、静止画を記録するディジタルスチルカメラとが用いられてきた。使用者が動画と静止画との両方を最適に記録したい場合、ディジタルビデオカメラとディジタルスチルカメラとの両方を適宜使い分ける必要がある。二つの装置を同時に携帯して適宜使い分けることは、携帯性および操作性を著しく損なうという欠点がある。
【０００３】
そこで、動画を記録中に静止画を記録することができるディジタルビデオカメラが提案されている（特許文献１参照）。図１４は、特許文献１に記載されているディジタルビデオカメラの構成を模式的に示したブロック図である。
【０００４】
図１４に示す構成では、レンズ１と、レンズ１で結像された画像にもとづくアナログ画像信号を生成するＣＣＤ部２と、動画の画像データを記録する動画処理部１２と、静止画の画像データを記録する静止画処理部１３と、動画処理部１２および静止画処理部１３を制御する制御部７と、使用者が所定の操作を行なう操作部１５とを含む。動画処理部１２と静止画処理部１３とが独立して設けられているため、制御部７は動画の記録中にも静止画記録の指示を任意のタイミングで受けることができる。すなわち、任意のタイミングで静止画および動画の画像データをそれぞれ記録することができる。
【特許文献１】特開２００４−２４８１５６号公報（第5ページ、図１）
【発明の開示】
【発明が解決しようとする課題】
【０００５】
しかし、上記従来のディジタルビデオカメラでは以下の問題点がある。図１４で示した画像記録装置では、動画圧縮部と静止画圧縮部が同時に動作する必要があるため、両者を単一のプロセッサ上で実現していると、処理負荷の状況によっては動画記録と静止画記録を同時に行なった場合、動画にハードディスクの処理速度や、圧縮された画像データを展開する処理が映像の進行に追いつかなくなった時などに、コマ落ちが発生して動画記録の性能が劣化するという問題がある。又、それぞれの圧縮部が独立したプロセッサ上で動作する環境とした場合には、回路規模や消費電力が大きくなるという問題がある。
【０００６】
一方、上記ディジタルビデオカメラでは、動画記録中に静止画記録の要求があった場合、動画の一コマを取り出して保持しておき、動画記録終了時に静止画を記録する。この方法では、動画の一コマを保持しておくためのメモリが大量に必要となる。例えば解像度が幅６４０×高さ４８０の場合は、一コマ分のデータを保持するために必要なメモリは、６４０×４８０×３＝９２１６００バイトとなる。
【０００７】
本発明はかかる点を解決するためになされたもので、動画記録中に静止画記録要求があった場合に、圧縮された動画データ中の記録したいフレームの位置を記憶しておき、動画記録終了後に動画データを復号し、静止画として圧縮記録することにより、動画圧縮部と静止画圧縮部を同時に動作させる必要をなくし、動画記録時にコマ落ちが発生したり、回路規模や必要なメモリが大きくなったりすることを回避することを目的としている。
【課題を解決するための手段】
【０００８】
上記目的を達成するために、本発明の画像記録装置は、ディジタル画像データを圧縮して画像データを生成する画像圧縮部と、画像圧縮部で圧縮された画像データを保存する画像保存部と、動画記録中に任意のタイミングで画像保存部に保存されている画像データ中の静止画記録するフレームの先頭位置を保持する位置保持部と、動画記録終了後画像保存部に保存されている画像データ中の位置保持部に保持されている位置のフレームを復号する画像復号部と、動画の記録開始／終了、静止画記録位置の記録、動画記録終了後に記録したいフレームの復号／記録の各処理を制御する制御部を備える構成を採る。
【０００９】
この構成により、動画と静止画を記録する画像記録装置において、動画記録の性能を劣化させることなく動画記録中の静止画記録が可能な画像記録装置を実現することができる。
【００１０】
また、本発明の画像記録装置は、上記画像記録装置の構成において、複数の位置保持部を備える構成を採る。
【００１１】
この構成により、動画と静止画を記録する画像記録装置において、動画記録の性能を劣化させることなく動画記録中の複数枚の静止画記録が可能な画像記録装置を実現することができる。
【００１２】
また、本発明の画像記録装置は、上記画像記録装置の構成において、直前にフレーム内符号化を行なったフレーム位置情報を保持するフレーム内符号化フレーム保持部を備える構成を採る。
【００１３】
この構成により、動画と静止画を記録する画像記録装置において、動画記録の性能を劣化させることなく動画記録中の静止画記録を高速に行なうことが可能な画像記録装置を実現することができる。
【００１４】
また、本発明の画像記録装置は、上記画像記録装置の構成において、ディジタル画像データを圧縮して画像データを生成する画像圧縮部と、画像圧縮部に対し任意のタイミングでフレーム内符号化の指示を与えるフレーム内符号化指示部を備える構成を採る。
【００１５】
この構成により、動画と静止画を記録する画像記録装置において、動画記録の性能を劣化させることなく動画記録中の高画質な静止画記録を高速に行なうことが可能な画像記録装置を実現することができる。
【００１６】
また、本発明の画像記録装置は、上記画像記録装置の構成において、動画記録中のプレビュー画像、撮影した動画データや静止画データを表示するための表示部と、動画記録中に撮影した静止画と動画データ中の対応するフレーム位置の関連付け情報を保存するインデックス保存部を備える構成を採る。
【００１７】
この構成により、動画記録中に記録された静止画データをインデックスとして動画再生をその該当フレームから再生することが可能な画像記録装置を実現することができる。
【発明の効果】
【００１８】
本発明によると、動画と静止画を記録する画像記録装置において、動画記録の性能を劣化させることなく動画記録中の静止画記録が可能な画像記録装置を実現することができる。また、動画記録中の複数枚の静止画記録が可能な画像記録装置を実現することができる。更に、動画記録中の高画質な静止画記録を高速に行なうことが可能な画像記録装置を実現することができる。また、動画記録中に記録された静止画データをインデックスとして動画再生をその該当フレームから再生することが可能な画像記録装置を実現することができる。
【発明を実施するための最良の形態】
【００１９】
以下に、本発明の実施の形態について、図面を参照しながら説明する。なお、本実施の形態では、動画圧縮フォーマットとしてＭＰＥＧ−４、静止画圧縮フォーマットとしてＪＰＥＧを用いる。また、圧縮前の信号処理として圧縮効率を高める目的の低域通過フィルタを用いることとして説明する。
【００２０】
（実施の形態１）
本実施の形態における画像記録装置の構成を図１に示す。図１は、本発明における画像記録装置の構成を表すブロック図である。本発明における画像記録装置は、レンズ１と、レンズ１で結像された画像をアナログ画像信号に光電変換するＣＣＤ部２を備える。ＣＣＤ部２から出力されたアナログ画像信号をディジタル変換してディジタル画像データとして出力するＡ／Ｄ変換部１０００と、Ａ／Ｄ変換部１０００から出力されたディジタル画像データに対し所定の信号処理を施す信号処理部１００１と、信号処理部１００１から出力されたディジタル画像データを動画または静止画として圧縮し画像データを生成する画像圧縮部１００２を備える。そして、画像圧縮部１００２で圧縮された画像データを保存する画像保存部１００３と、動画記録中任意のタイミングで画像保存部１００３に保存されている画像データ中の静止画記録したいフレームの先頭位置を保持する位置保持部１００４と、動画記録終了後、画像保存部１００３に保存されている画像データ中の位置保持部１００４に保持されている位置のフレームを復号する画像復号部１００５とを備える。そして、動画の記録開始／終了、静止画記録位置の記録、動画記録終了後に記録したいフレームの復号／記録の各処理を制御する制御部１００６と、ユーザ操作を前記制御部１００６に伝達する操作部１５と、それらの動作プログラムを記録する記録媒体１００７を備えている。
【００２１】
図２は、図１の動画記録時の動作を説明するフローチャートで、図３は動画記録終了後、静止画を得る動作を説明するフローチャートである。以下、図面を参照して、本実施の形態における画像記録装置の動作を説明する。
【００２２】
図２において、ユーザ操作により動画記録開始が指示されると（ステップ２０１）、操作部１５から動画記録開始要求が制御部１００６に指示され、制御部１００６は画像圧縮部１００２に動画記録開始要求を指示する（ステップ２０２）。それから、画像圧縮部１００２は動画記録を開始する（ステップ２０３）。なお、動画記録は、以下のように行なわれる。ＣＣＤ部２が前記レンズ１により結像された画像をアナログ画像信号に光電変換し、Ａ／Ｄ変換部１０００が得られたアナログ信号をディジタル画像データに変換し、信号処理部１００１が上記で得られたディジタル画像データに対し、低域通過フィルタを施し得られたディジタル画像データを画像圧縮部１００２で圧縮し、画像保存部１００３に保存する。これらの処理を動画記録終了要求を受信するまでフレーム単位で繰返すことで動画記録が行なわれる（ステップ２０４）。
【００２３】
そして、動画記録中、ユーザ操作により操作部１５から制御部１００６に対し静止画記録要求の指示があると（ステップ２０５）、制御部１００６は画像圧縮部１００２に対し圧縮中のフレームの先頭位置を問い合わせて取得し（ステップ２０６）、位置保持部１００４にその位置を保存する。すなわち、図４に記録された動画データと静止画記録対象フレーム位置の一例を示す。図４では、動画データがＡ、Ｂ、Ｃ、Ｄ、Ｅ、Ｆ、Ｇと示されている７つのフレームを有することとし、その中に、ＩとＰ２種類のフレームが設けられているとして説明する。ここで、Ｉとは対象フレームの情報だけを使用して符号化するフレーム内符号化（Ｉｎｔｒａ ｃｏｄｅｄ ｐｉｃｔｕｒｅ）フレームであり、Ｐとは過去のフレームとの差分や動き情報を符号化するフレーム間符号化（Ｐｒｅｄｉｃｔｉｖｅ ｃｏｄｅｄ  ｐｉｃｔｕｒｅ）フレームである。図４に示される動画データの場合、Ｆを静止画記録したいフレームとしてその先頭位置を位置保持部１００４に保持する（ステップ２０７）。なお、ここではフレームの先頭位置を保存するようにしているが、フレーム番号を保存するようにしても良いし、その他のフレーム位置を示すすなわちフレーム位置情報を保存するようにしても良い。フレーム位置情報を保存した後も、画像圧縮部１００２は動画記録を継続する（ステップ２０８）。そして、ユーザ操作により動画記録終了要求が発せられると、操作部１５が制御部１００６に対し動画記録終了要求を指示する。制御部は画像圧縮部１００２に対し動画記録終了要求を指示する（ステップ２０９）。画像圧縮部１００２は動画記録終了要求を受けると動画記録を終了する（ステップ２１０）。
【００２４】
動画記録終了後、図３に示すように、制御部１００６は画像復号部１００５に対し位置保持部に保存されているフレーム位置を取得する。ここで、指定フレームがフレーム間符号化されているフレームの場合は（ステップ２１１１）、直前のフレーム内符号化されているフレームを探索し（ステップ２１１２）、見つけたフレーム内符号化されたフレームから順に復号していくことで（ステップ２１１３）、指定フレームを復号する（ステップ２１１４）。たとえば、図４に示される動画データの場合、静止画記録したいフレームであるＦの直前のフレーム内符号化されたフレームを探索する。その結果、Ｄが直前のフレーム内符号化されたフレームとして選ばれるため、Ｄ、Ｅ、Ｆのフレームを順に復号することでＦのフレームが復号される。そして、復号された指定フレームは画像圧縮部１００２により静止画圧縮され（ステップ２１２）、画像保存部１００３に保存される（ステップ２１３）。なお、これらの動作プログラムは予め記録媒体１００７に記録してある。
【００２５】
以上のように、本実施の形態により、従来の動画と静止画を記録する画像記録装置において、動画記録と静止画記録を分けて行うようにしているので、処理負荷が大きくなることを防ぎ、コマ落ちなどの動画記録の性能を劣化させることなく動画記録中の静止画記録が可能な画像記録装置を実現することができる。
【００２６】
（実施の形態２）
次に本発明の第２の実施形態について説明する。本発明の第２の実施形態では、複数の位置保持部を設けたことを特徴としている。本実施の形態における画像記録装置の構成を図５に示す。図５は本実施の形態における画像記録装置の構成を表すブロック図である。本発明における画像記録装置は、実施の形態１における画像記録装置において、位置保持部１００４を２つ備える構成を採る。なお、本実施の形態では位置保持部１００４を２つとしているが、この数は３以上任意の数を設置してよい。
【００２７】
図６は、動画記録時の動作を説明するフローチャートである。本発明における画像記録装置の動作は、静止画記録要求を受け付ける（ステップ２０１からステップ２０４）までは、実施の形態１における画像記録装置の動作と同じである。そして、図２のステップ２０８が削除されており、ステップ２０９がＮＯの場合、ステップ２０４に戻る点が異なっている。図７に記録された動画データと静止画記録対象フレーム位置の一例を示す。以下、図面を参照して、本実施の形態における画像記録装置の動作を説明する。
【００２８】
図６に示すように、動画記録中、操作部１５が制御部１００６に対し静止画記録要求を指示すると（ステップ２０５）、制御部１００６は画像圧縮部１００２に対し圧縮中のフレームの先頭位置を問い合わせ（ステップ２０６）、位置保持部１００４にその位置を保存する（ステップ２０７）。図７に示される動画データの場合、Ｃを静止画記録したいフレーム１としてその先頭位置を位置保持部１００４に記録する。なお、ここではフレームの先頭位置を保存するようにしているが、フレーム番号を保存するようにしても良いし、その他のフレーム位置を示す情報を保存するようにしても良い。フレーム位置情報を保存した後も、画像圧縮部１００２は動画記録を継続する。
【００２９】
そして、ユーザ操作により再度静止画記録要求または動画記録終了要求が出されると、操作部１５が制御部１００６に対し静止画記録要求を指示する。静止画記録要求を受け付けた場合、上記と同じくフレーム位置情報を保存する（ステップ２０４からステップ２０７）。図７に示される動画データの場合、Ｆを静止画記録したいフレーム２としてその先頭位置を位置保持部１００４に記録する。そして、動画記録を継続する。ここで、静止画記録要求が位置保持部の設置数の２回を超えて受け付けた場合、以降の静止画記録要求を受け付けないようにしてもよいし、過去に保持したフレーム位置情報を破棄して新しい情報を保持するようにしてもよい。動画記録終了要求を受け付けた場合、制御部は画像圧縮部１００２に対し動画記録終了要求を指示する（ステップ２０９）。画像圧縮部１００２は動画記録終了要求を受けると動画記録を終了する（ステップ２１０）。
【００３０】
動画記録終了後、実施の形態１の図３で示したフローチャートのように、制御部１００６は画像復号部１００５に対し位置保持部に保存されているフレーム位置のフレームを復号するよう指示する。すると、画像復号部１００５は画像保存部１００３に保存されている動画データ中の指定されたフレームを復号する。すなわち、ここで、指定フレームがフレーム間符号化されているフレームの場合は（ステップ２１１１）、直前のフレーム内符号化されているフレームを探索し（ステップ２１１２）、見つけたフレーム内符号化されたフレームから順に復号していくことで（ステップ２１１３）、指定フレームを復号する（ステップ２１１４）。図７に示される動画データの場合、まず１番目の静止画記録したいフレームであるＣの直前のフレーム内符号化されたフレームを探索する。その結果、Ａが直前のフレーム内符号化されたフレームとして発見され、Ａ、Ｂ、Ｃの順に復号を行なうことで、静止画記録したいフレームＣが復号される。そして、復号された指定フレームは画像圧縮部１００２により静止画圧縮され（ステップ２１２）、画像保存部１００３に保存される（ステップ２１３）。次に、２番目の静止画記録したいフレームについても同じく画像保存部１００３に保存されている動画データ中の指定されたフレームを復号する。図７に示される動画データの場合、２番目の静止画記録したいフレームであるＦの直前のフレーム内符号化されたフレームを探索する。その結果、Ｄが直前のフレーム内符号化されたフレームとして発見され、Ｄ、Ｅ、Ｆの順に復号を行なうことで、静止画記録したいフレームＦが復号される（ステップ２１１）。そして、復号された指定フレームは画像圧縮部１００２により静止画圧縮され（ステップ２１２）、画像保存部１００３に保存される（ステップ２１３）。
【００３１】
以上のように、本実施の形態により、従来の動画と静止画を記録する画像記録装置において、処理負荷が大きくなることを防ぎ、コマ落ちなどの動画記録の性能を劣化させることなく動画記録中の複数枚の静止画記録が可能な画像記録装置を実現することができる。
【００３２】
（実施の形態３）
次に本発明の第３の実施形態について説明する。本発明の第３の実施形態では、フレーム内符号化フレーム位置保持部を設けたことを特徴としている。本実施の形態における画像記録装置の構成を図８に示す。図８は本発明における画像記録装置の構成を表すブロック図である。本実施の形態における画像記録装置は、実施の形態１における画像記録装置において、最新のフレーム内符号化を行なったフレームの位置情報を格納するフレーム内符号化フレーム位置保持部１００８を追加した構成を採る。
【００３３】
図９は、本発明の第３の実施形態の動画記録時の動作を説明するフローチャートで、図１０は、動画記録後、記憶したフレーム位置のフレームを復号する動作を説明するフローチャートである。以下、図面を参照して、本実施における画像記録装置の動作を説明する。なお、実施の形態１におけるステップ２０１からステップ２０４までは同じであるため、説明を省略する。ここで、静止画記録要求を受信するまでは、動画記録中フレーム内符号化を行なった場合に（ステップ９０１）、フレーム位置情報をフレーム内符号化フレーム位置保持部１００８に保存する（ステップ９０２）。たとえば、すでに説明した図４に示される動画データの場合、フレーム内符号化フレーム位置保持部には、Ｄのフレームの位置が記録される。なお、ステップ２０５からステップ２１０までは、実施の形態１と同じであるため説明を省略する。
【００３４】
動画記録終了後、図１０に示すように、制御部１００６は画像復号部１００５に対し位置保持部に保存されているフレーム位置のフレームを復号するよう指示する。すると、画像復号部１００５は画像保存部１００３に保存されている動画データ中の指定されたフレームを復号する。ここで、指定フレームがフレーム間符号化されているフレームの場合は（ステップ２１１１）、フレーム内符号化フレーム位置保持部に保存されているフレームから順に復号していくことで（ステップ１００１）、指定フレームを復号する（ステップ２１１４）。先に説明した図４に示される動画データの場合、フレーム内符号化フレーム位置保持部に保持されているフレームＤから、Ｄ、Ｅ、Ｆのフレームを順に復号することでＦのフレームが復号される。そして、復号された指定フレームは画像圧縮部１００２により静止画圧縮され（ステップ２１２）、画像保存部１００３に保存される（ステップ２１３）。なお、これらの動作プログラムは予め記録媒体１００７に記録してある。
【００３５】
以上のように、本実施の形態により、従来の動画と静止画を記録する画像記録装置において、処理負荷が大きくなることを防ぎ、コマ落ちなどの動画記録の性能を劣化させることなく動画記録中の静止画記録を高速に行なうことが可能な画像記録装置を実現することができる。
【００３６】
（実施の形態４）
次に本発明の第４の実施形態について説明する。本発明の第４の実施形態では、フレーム内符号化指示部を設けたことを特徴としている。本実施の形態における画像記録装置の構成を図１１に示す。図１１は本発明における画像記録装置の構成を表すブロック図である。本発明における画像記録装置は、実施の形態１における画像記録装置において、画像圧縮部１００２に対してフレーム内符号化処理を指示するフレーム内符号化指示部１００９を追加した構成を採る。
【００３７】
図１２は、本発明の第４の実施形態の動画記録時の全体的動作を説明するフローチャートである。以下、フローチャートを参照して、本実施における画像記録装置の動作を説明する。まず、ユーザ操作による動画記録開始の指示から動画記録まで、すなわち実施の形態１におけるステップ２０１からステップ２０４まで同じであるため、説明を省略する。
【００３８】
図１２のように、動画記録中、ユーザ操作により静止画記録要求が出されると、操作部１５が制御部１００６に対し静止画記録要求を指示する（ステップ２０５）。すると、制御部１００６は画像圧縮部１００２に対し圧縮中のフレームの先頭位置を問い合わせ（ステップ２０６）、位置保持部１００４にその位置を保存する（Ｓ２０７）。なお、ここではフレームの先頭位置を保存するようにしているが、フレーム番号を保存するようにしても良いし、その他のフレーム位置を示す情報を保存するようにしても良い。更に同時に、制御部１００６は前記フレーム内符号化指示部１００９に静止画記録要求が発行された旨を通知する。すると、前記フレーム内符号化指示部１００９は画像圧縮部１００２に対し当該フレームをフレーム内符号化するように指示する（ステップ１２０１）。以降も、画像圧縮部１００２は動画記録を継続する。その後、動画記録終了から静止画データを保存部１００３に保存されるまで、実施の形態１と同じであるため、説明を省略する。
【００３９】
以上のように、本実施の形態により、従来の動画と静止画を記録する画像記録装置において、処理負荷が大きくなることを防ぎ、コマ落ちなどの動画記録の性能を劣化させることなく動画記録中の高画質な静止画記録を高速に行なうことが可能な画像記録装置を実現することができる。
【００４０】
（実施の形態５）
次に本発明の第５の実施形態について説明する。本発明の第５の実施形態では、インデックス保存部を設けたことを特徴としている。本実施の形態における画像記録装置の構成を図１３に示す。図１３は本発明における画像記録装置の構成を表すブロック図である。本発明における画像記録装置は、実施の形態１における画像記録装置において、動画記録中のプレビュー画像、撮影した動画データや静止画データを表示するための表示部１０１０と、動画記録中に撮影した静止画と動画データ中の対応するフレーム位置の関連付け情報を保存するインデックス保存部１０１１を追加した構成を採る。
【００４１】
動画記録中の静止画記録の動作は、実施の形態１における画像記録装置の動作と同じである。静止画記録完了後、制御部１００６は記録された静止画データと動画データ中の該当するフレームとの関連情報を前記インデックス保存部１０１１に保存する。そして、表示部１０１０である静止画データの表示中、ユーザ操作により操作部１５が制御部１００６に静止画−動画の連携再生指示を発すると、制御部１００６はインデックス保存部に保存されている静止画−動画の関連情報を参照し、画像復号部１００５が該当する動画データの該当するフレーム位置から再生を開始し、表示部１０１０に表示する。
【００４２】
以上のように、本実施の形態により、動画記録中に記録された静止画データをインデックスとして動画再生をその該当フレームから再生することが可能な画像記録装置を実現することができる。
【００４３】
また、本実施では、動画圧縮方式としてＭＰＥＧ−４、静止画圧縮方式としてＪＰＥＧを用いたが、動画圧縮方式としてはＭＰＥＧ−１、ＭＰＥＧ−２、静止画圧縮方式としてはＧＩＦ、ＰＮＧ等の他の符号化方式でも良い。
【００４４】
また、本発明は、ソフトウェアにより実現することが可能であり、この動作プログラムであるソフトウェアを収めた記録媒体から読み出して本発明を実現することも可能である。この場合、用いる記録媒体として、例えば半導体メモリ、磁気記憶装置、光記憶装置、光磁気記録装置がある。
【産業上の利用可能性】
【００４５】
本発明にかかる、ディジタル画像データを圧縮して画像データを生成する画像圧縮部と、前記画像圧縮部で圧縮された画像データを保存する画像保存部と、動画記録中に任意のタイミングで前記画像保存部に保存されている画像データ中の静止画記録したいフレームの先頭位置を保持する位置保持部と、動画記録終了後前記画像保存部に保存されている画像データ中の前記位置保持部に保持されている位置のフレームを復号する画像復号部と、動画の記録開始／終了、静止画記録位置の記録、動画記録終了後に記録したいフレームの復号／記録の各処理を制御する制御部を備えることを特徴とする画像記録装置は、動画と静止画を記録する技術において、独立して動作する動画処理部と静止画処理部を持たない回路規模の小さな画像記録装置に適用することができる。
【図面の簡単な説明】
【００４６】
【図１】本発明の実施の形態１における画像記録装置を示すブロック図
【図２】本発明の実施の形態１における画像記録装置の動作を示すフローチャート
【図３】本発明の実施の形態１における画像記録装置の動作を示すフローチャート
【図４】本発明の実施の形態における画像記録装置の動画データと静止画記録フレーム位置を説明する図
【図５】本発明の実施の形態２における画像記録装置を示すブロック図
【図６】本発明の実施の形態２における画像記録装置の動作を示すフローチャート
【図７】本発明の実施の形態における画像記録装置の動画データと静止画記録フレーム位置を説明する図
【図８】本発明の実施の形態３における画像記録装置を示すブロック図
【図９】本発明の実施の形態３における画像記録装置の動作を示すフローチャート
【図１０】本発明の実施の形態３における画像記録装置の動作を示すフローチャート
【図１１】本発明の実施の形態４における画像記録装置を示すブロック図
【図１２】本発明の実施の形態４における画像記録装置の動作を示すフローチャート
【図１３】本発明の実施の形態５における画像記録装置を示すブロック図
【図１４】従来の画像記録装置を示すブロック図
【符号の説明】
【００４７】
１  レンズ
２  ＣＣＤ部
１５  操作部
１０００  Ａ／Ｄ変換部
１００１  信号処理部
１００２  画像圧縮部
１００３  画像保存部
１００４  位置保持部
１００５  画像復号部
１００６  制御部
１００７  記録媒体
１００８  フレーム内符号化フレーム位置保持部
１００９  フレーム内符号化指示部
１０１０  表示部
１０１１  インデックス保存部
【図１】
2006352307.tif 000003
【図２】
2006352307.tif 000004
【図３】
2006352307.tif 000005
【図４】
2006352307.tif 000006
【図５】
2006352307.tif 000007
【図６】
2006352307.tif 000008
【図７】
2006352307.tif 000009
【図８】
2006352307.tif 000010
【図９】
2006352307.tif 000011
【図１０】
2006352307.tif 000012
【図１１】
2006352307.tif 000013
【図１２】
2006352307.tif 000014
【図１３】
2006352307.tif 000015
【図１４】
2006352307.tif 000016